(57)【要約】【課題】多種のランプユニットを適用する天井吸着式ランプ台座の提供。 【解決手段】本発明の多種のランプユニットを適用する天井吸着式ランプ台座は、主に、少なくとも一列の台形断面長溝の方形ランプハウジング、及び、数量が台形断面長溝に対応し、板辺に設けられた設置された嵌合構造により、溝口を蓋合する透光蓋板からなる。各台形断面長溝底壁に長形通槽を開設し、且つ、台形断面長溝底壁は、長形通槽の後辺周辺に対応して、安置フレームを突出し、安置フレームの適当な位置に、複数のフックを延伸し、台形断面長溝底壁は長形通槽の長辺両端の適当な位置に、それぞれ、ランプ管嵌孔を開設し、安置フレームにより、電子光源のランプユニット板素子を配置して、フックがランプユニット板素子を挟固し、電子光源が長形通槽を経て、台形断面長溝側壁、及び、透光蓋板に発光する。或いは、ランプ管嵌孔によりランプ管端座を装着し、長形通槽内で、ランプ管のランプユニットを挟着し、同一の天井装着式ランプとなることができる。【選択図】図２
2009163997.tif 000002
【特許請求の範囲】
【請求項１】
多種のランプユニットを適用する天井吸着式ランプ台座であって、その特徴は、主に、少なくとも一列の台形断面長溝の方形ランプハウジング、及び、数量が台形断面長溝に対応し、板辺に設けられた設置された嵌合構造により、溝口を蓋合する透光蓋板からなり、各台形断面長溝底壁に長形通槽を開設し、且つ、前記台形断面長溝底壁は、長形通槽の後辺周辺に対応して、安置フレームを突出し、前記安置フレームの適当な位置に、複数のフックを延伸し、前記台形断面長溝底壁は前記長形通槽の長辺両端の適当な位置に、それぞれ、ランプ管嵌孔を開設し、前記安置フレームにより、電子光源のランプユニット板素子を配置して、前記フックがランプユニット板素子を挟固し、電子光源が前記長形通槽を経て、前記台形断面長溝側壁、及び、透光蓋板に発光するか、或いは、ランプ管嵌孔によりランプ管端座を装着し、前記長形通槽内で、ランプ管のランプユニットを挟着し、同一の天井装着式ランプとなることができることを特徴とする多種のランプユニットを適用する天井吸着式ランプ台座。
【請求項２】
前記透光蓋板板辺の嵌合構造は、前記蓋板板辺で相隣する溝口の間に対応し、壁は複数の嵌合孔を開設する垂直位置に、嵌合孔に嵌合する外掛け片を伸出し、前期外掛け片が対応する嵌合孔に係入することにより、前記蓋板と前記溝口が定位することを特徴とする請求項１に記載の多種のランプユニットを適用する天井吸着式ランプ台座。
【請求項３】
前記蓋板の側縁に近接する板面で、適当な間隔で、通孔を開設すると共に前記溝口側壁の通孔に対応する位置に、鎖接孔を開設することを特徴とする請求項１に記載の多種のランプユニットを適用する天井吸着式ランプ台座。
【請求項４】
前記蓋板は、前記台形断面長溝の板面に向かって、両側が分光ラックを形成し、且つ、中央の大面積は内凹した光屈折網を形成し、且つ、前記台形断面長溝の斜側辺は、突出した光反射網を形成することを特徴とする請求項１に記載の多種のランプユニットを適用する天井吸着式ランプ台座。
【請求項５】
前記ランプユニット板素子は、板面に複数の発光ダイオードを配置して、電子光源とする整流回路板、板面が整流回路板対応点、及び、外部接線に接続される並列線回路板、及び、前記並列線回路板を触接する散熱板を畳置してなり、前記散熱板が前記並列線回路板を畳接するもう一端の板面は、前記フックの挟固を受けることを特徴とする請求項１に記載の多種のランプユニットを適用する天井吸着式ランプ台座。
【請求項６】
前記ランプユニット板素子は、板面に孔を設け、複数のボタン形挿入台座を嵌入する並列線回路、挿入台座と同数量で、T字型に溶接した光源と整流回路板ユニット、及び、冷却液チャンネル、複数の散熱フィレを突出する散熱板塊を畳置してなり、前記光源と整流回路板ユニットの板先は、ボタン形挿入台座を挿入する電接点に対応する導電面を形成すると共に、露出した横板面上に、発光ダイオードを設置して電子光源とし、前記散熱板塊が前記並列線回路板を畳接する両側の凸縁は前記フックの挟固を受けることを特徴とする請求項１に記載の多種のランプユニットを適用する天井吸着式ランプ台座。
【請求項７】
前記ランプユニット板素子は、複数の発光ダイオード回路モジュール、発光ダイオード回路モジュールを挟置する並列線回路板、及び、前記並列線回路板を触接する散熱板を畳置してなり、前記並列線回路板上で、これらのダイオード回路モジュール両端の適当な位置に、前記ダイオード回路モジュール両端壁を挟置するクリップを設置することを特徴とする請求項１に記載の多種のランプユニットを適用する天井吸着式ランプ台座。  
【請求項８】
前記クリップは圧板形の挟体で、横板形式のダイオード回路モジュールを垂直方向に固定し、これらのクリップは、リベットにより前記並列線回路板の対応位置上に固定されて、前記並列線回路板と一体にされることを特徴とする請求項１に記載の多種のランプユニットを適用する天井吸着式ランプ台座。
【請求項９】
前記クリップは、頂端に挟口を設けたU字型挟体で、両端が横棒を伸出したダイオード回路モジュールを固定し、これらのクリップは、リベットにより前記並列線回路板の対応位置上に固定されて、前記並列線回路板と一体にされることを特徴とする請求項１に記載の多種のランプユニットを適用する天井吸着式ランプ台座。
【発明の詳細な説明】
【技術分野】
【０００１】
本発明は多種のランプユニットを適用する天井装着式ランプ台座に関し、特に、ランプユニットの種類を取り替えがフレキシブルで、光源の種類の取り替えのために、天井装着型のランプ台座を廃棄し、大量のごみを生成し、資源浪費になるのを防止する天井装着式ランプに関する。
【背景技術】
【０００２】
今日、省エネ型の高い光効果の光源は、低電圧の電子回路により電源を特定の電子発光素子に供給し、一般の環境照明を提供する。例えば、輝度が強い発光ダイオードLEDを使用し、道路交通標識ランプのLEDアレイランプや、居住空間の室内照明の発光ダイオードも発展している。早期の光源の種類の中にも、省エネで、高光効果を向上させるものがあり、例えば、日光ランプや他の省エネ形式のものがあるが、この種の日光ランプは、ランプ管を破壊し、ランプ管のガラスは危険で、管内の蛍光材は回収しにくく、環境汚染の問題がある。しかし、依然として、多くの国家や地域で、省エネ効果を強調し、使用禁止していないので、地球温暖化に伴い、エネルギーが枯渇し、廃棄ごみ処理の問題が次第に重大になり、世界は発光ダイオードのような光源を環境照明として使用するのが趨勢となっている。
【０００３】
これにより、現在、居住空間の照明中、天井に装着するランプは、将来、電子光源ランプユニットを変更することを考慮すると、公知の天井装着式ランプは、ランプ管を装着する構造しか適用できず、その後、多種のランプユニット中で取り替える場合、全体を廃棄して、大量のランプ座ごみが生成されるので、資源の浪費であり、ごみ処理の負担である。
【発明の開示】
【発明が解決しようとする課題】
【０００４】
本発明の目的は、多種のランプユニットを適用する天井装着式ランプ台座を提供することにある。
【課題を解決するための手段】
【０００５】
本発明の多種のランプユニットを適用する天井吸着式ランプ台座は、主に、少なくとも一列の台形断面長溝の方形ランプハウジング、及び、数量が台形断面長溝に対応し、板辺に設けられた設置された嵌合構造により、溝口を蓋合する透光蓋板からなる。各台形断面長溝底壁に長形通槽を開設し、且つ、台形断面長溝底壁は、長形通槽の後辺周辺に対応して、安置フレームを突出し、安置フレームの適当な位置に、複数のフックを延伸し、台形断面長溝底壁は長形通槽の長辺両端の適当な位置に、それぞれ、ランプ管嵌孔を開設し、安置フレームにより、電子光源のランプユニット板素子を配置して、フックがランプユニット板素子を挟固し、電子光源が長形通槽を経て、台形断面長溝側壁、及び、透光蓋板に発光する。或いは、ランプ管嵌孔によりランプ管端座を装着し、長形通槽内で、ランプ管のランプユニットを挟着し、同一の天井装着式ランプとなることができる。
【発明の効果】
【０００６】
本発明により、多種のランプユニット中で選択でき、光源の種類の取り替えで、天井装着式ランプ台座を廃棄して、大量のごみを生成し、資源の浪費になるのを防止することができる。
【発明を実施するための最良の形態】
【０００７】
図１は、本発明の多種ランプユニットの天井装着式ランプ台座の外観立体図である。図で示されるように、外観は公知の天井装着式ランプ台座と同じであるが、その内部構造は、図２の前立体分解図、図３の後立体分解図、及び、図４の完成断面図で示されるように、主に、少なくとも一列の台形断面の長溝１１、１２からなる方形ランプハウジング１０（図１、図２は、図３の三列以上の台形断面の長溝１１、１２と異なり、二列の台形断面長溝１１、１２だけを表示しているが、並列延伸した重複構造原理は相同である。）、及び、数量が台形断面長溝１１、１２に対応し、板辺に設置された嵌合構造により、溝口１１A、１２Aを蓋合する透光蓋板２０からなる。透光蓋板２０板辺の嵌合構造は図で示されるように、蓋板２０板辺で相隣する溝口１１A、１２Aの間に対応し、壁１１B、１２Bは複数の嵌合孔１１C、１２Cを開設する垂直位置に、嵌合孔１１C、１２Cに嵌合する外掛け片２１、２２を伸出し、外掛け片２１、２２が対応する嵌合孔１１C、１２Cに係入することにより、蓋板２０と溝口１１A、１２Aが定位し、蓋板２０の側縁に近接する板面で、適当な間隔で、通孔２３、２４を開設すると共に、溝口１１A、１２A側壁の通孔２３、２４に対応する位置に、鎖接孔１１D、１２Dを開設して、ねじや釘により、通孔２３、２４を穿過し、鎖接孔１１D、１２Dを鎖固して、蓋板２０と溝口１１A、１２Aが更に緊密に鎖固する。
【０００８】
蓋板２０は、台形断面長溝１１、１２の板面に向かって、両側が分光ラック２５を形成し、且つ、中央の大面積は内凹した光屈折網２６、２７を形成し、且つ、台形断面長溝１１、１２の斜側辺は、突出した光反射網１１E、１２Eを形成して、透光散射効果を増強する。
【０００９】
この他、各台形断面長溝１１、１２底壁は、長形通槽１１F、１２Fを開設し、且つ、台形断面長溝底壁１１G、１２Gは長形通槽１１F、１２Fの後辺周辺に対応して、安置フレーム１１K、１２Kを突出し、安置フレーム１１K、１２Kの適当な位置に、複数のフック１１H、１１I、１２H、１２Iを延伸し、台形断面長溝底壁１１G、１２Gは長形通槽１１F、１２Gの長辺両端の適当な位置に、それぞれ、ランプ管嵌孔１１J、１２Jを開設し、安置フレーム１１K、１２Kにより、電子光源のランプユニット板素子３０を配置して、フック１１H、１１I、１２H、１２Iがランプユニット板素子３０を挟固し、電子光源が長形通槽１１F、１２Fを経て、台形断面長溝１１、１２側壁、及び、透光蓋板２０に発光する。図２、図３、図４で示されるように、ランプユニット板素子３０は、板面に複数の発光ダイオード３４、３５、３６を配置して、電子光源とする整流回路板３１、板面が整流回路板３１対応点、及び、外部接線に接続される並列線回路板３２、及び、並列線回路板３２を触接する散熱板３３を畳置してなり、散熱板３３が並列線回路板３２を畳接するもう一端の板面は、フック１１H、１１I、１２H、１２Iの挟固を受ける。
【００１０】
図５は、本発明による多種のランプユニットを適用する天井装着式ランプ台座が、もう一種のランプユニット板素子を適用する前立体分解図、図６は、ランプユニット板素子の立体分解図、図７は完成断面図であり、ランプユニット板素子３０は、板面に孔４１、４２を設け、複数のボタン形挿入台座４３、４４、４５を嵌入する並列線回路４６、挿入台座４３、４４、４５と同数量で、T字型に溶接した光源と整流回路板ユニット４６A、及び、冷却液チャンネル４７、複数の散熱フィレ４８を突出する散熱板塊４９を畳置してなり、光源と整流回路板ユニット４６Aの板先は、ボタン形挿入台座４３、４４、４５を挿入する電接点に対応する導電面を形成すると共に、露出した横板面上に、発光ダイオード４６Bを設置して電子光源とし、散熱板塊４９が並列線回路板３２を畳接する両側の凸縁はフック１１H、１１I、１２H、１２Iの挟固を受ける。
【００１１】
図８は、本発明による多種のランプユニットを適用する天井装着式ランプ台座が、もう一種のランプユニット板素子を適用する後立体分解図で、ランプ管嵌孔１１J、１２Jにランプ管端座５１を挿入して嵌固し、長形通槽１１F、１２F内で、ランプ管６０のランプユニットを装着し、適当な尺寸の光反射隔板６１を安置フレーム１１K中に置入して、板６１辺縁がフック１１H、１１I、１２H、１２Iの挟固を受ける。長形通槽１１Fが封鎖されて、ランプ管６０の一部の光が長形通槽１１Fから漏れて、照明輝度を低下するのを防止する。上述の種々の発光ダイオードの光源構造を交換したい場合、光反射隔板６１を安置フレーム１１Kから外すだけで、長形通槽１１Fが開き、発光ダイオードの光源に交換することができる。
【００１２】
図９で示されるように、ランプユニット板素子３０は、複数の発光ダイオード回路モジュール３７、３８、３９、発光ダイオード回路モジュール３７、３８、３９を挟置する並列線回路板３２、及び、並列線回路板３２を触接する散熱板３３（散熱板３３は図示されず、構造は前述と同様である）を畳置してなり、並列線回路板３２上で、これらのダイオード回路モジュール３７、３８，３９両端の適当な位置に、ダイオード回路モジュール３７、３８、３９両端壁を挟置するクリップ３２A、３２Bを設置し、図で示されるように、クリップ３２Aは圧板形の挟体で、横板形式のダイオード回路モジュール３７を垂直方向に固定するか、或いは、クリップ３２Bは、頂端に挟口を設けたU字型挟体で、両端が横棒を伸出したダイオード回路モジュール３８、３９を固定し、これらのクリップ３２A、３２Bは、図１０で示されるように、リベット３２C、３２Dにより並列線回路板３２の対応位置上に固定されて、並列線回路板３２と一体にされる。
【図面の簡単な説明】
【００１３】
【図１】本発明の多種ランプユニットの天井装着式ランプ台座の外観立体図である。
【図２】本発明の前立体分解図である。
【図３】本発明の後立体分解図である。
【図４】本発明の完成断面図である。
【図５】本発明による多種のランプユニットを適用する天井装着式ランプ台座が、もう一種のランプユニット板素子を適用する前立体分解図である。
【図６】本発明のランプユニット板素子の立体分解図である。
【図７】本発明の多種のランプユニットを適用する天井装着式ランプ台座が、もう一種のランプユニット板素子を適用する完成断面図である。
【図８】本発明の多種のランプユニットを適用する天井装着式ランプ台座が、もう一種のランプユニット板素子を適用する後立体分解図である。
【図９】本発明の多種のランプユニットを適用する天井装着式ランプ台座が、もう一種のランプユニット板素子を適用する前視立体図である。
【図１０】図９のもう一種のランプユニット板素子の背面立体図である。
【符号の説明】
【００１４】
１０…方形ランプハウジング
１１、１２…台形断面長溝
１１A、１２A…溝口
１１B、１２B…壁
１１C、１２C…嵌合孔
１１D、１２D…鎖接孔
１１E、１２E…光反射網
１１F、１２F…長形通槽
１１G、１２G…台形断面長溝底壁
１１H、１１I、１２H、１２I…フック
１１J、１２J…ランプ管嵌孔
１１G、１２G…安置フレーム
２０…透光蓋板
２１、２２…外掛け片
２３、２４…通孔
２５…分光ラック
２６、２７…光屈折網
３０…ランプユニット板素子
３1…整流回路板
３２…並列線回路板
３２A、３２B…クリップ
３２C、３２D…リベット
３３…散熱板
３４、３５、３６…発光ダイオード
３７、３８、３９…発光ダイオード回路モジュール
４１、４２…孔
４３、４４、４５…ボタン形挿入台座
４６…並列線回路板
４６A…光源と整流回路板
４６B…発光ダイオード
４７…冷却液チャンネル
４８…散熱フィレ
４９…散熱板塊
５１…ランプ管端座
６０…ランプ管
６１…光反射隔板
【図１】
2009163997.tif 000003
【図２】
2009163997.tif 000004
【図３】
2009163997.tif 000005
【図４】
2009163997.tif 000006
【図５】
2009163997.tif 000007
【図６】
2009163997.tif 000008
【図７】
2009163997.tif 000009
【図８】
2009163997.tif 000010
【図９】
2009163997.tif 000011
【図１０】
2009163997.tif 000012